(57)【要約】【課題】  医薬品や食品関係等の工場の包装工程のラインにおいて、作業者の睫毛や眉毛等の異物が落下して製品の中に混入してしまうことを確実に防止することができるフェイスガードを提供することを目的とする。【解決手段】  作業者の鼻と両耳に架け渡して顔面に装着する固定具１と、該固定具１の外側に取り付けられて顔面を覆うシールド２と、該シールド２の下端部に保持されてシールド２の下端と顔面との相互間に生じる隙間を覆う受け部材３と、を備えていることを特徴とする。【選択図】      図１
2006057202.tif 000002
【特許請求の範囲】
【請求項１】
作業者の鼻と両耳に架け渡して顔面に装着する固定具（１）と、該固定具（１）の外側に取り付けられて顔面を覆うシールド（２）と、該シールド（２）の下端部に保持されてシールド（２）の下端と顔面との相互間に生じる隙間を覆う受け部材（３）と、を備えていることを特徴とするフェイスガード。
【請求項２】
前記受け部材（３）がクリーン生地であることを特徴とする請求項１記載のフェイスガード。
【請求項３】
前記シールド（２）には通気孔（２１）が形成してあることを特徴とする請求項１又は２記載のフェイスガード。
【発明の詳細な説明】
【技術分野】
【０００１】
本発明は、粉塵や液体等から顔全体を保護するためのフェイスガードに関するものである。
【背景技術】
【０００２】
医薬品や食品関係等の工場の包装工程において、例えば、製品の外装容器等にラベルを貼るラベル貼りや、透明な袋等に製品を入れる袋詰め等といったラインでは、作業者の睫毛や眉毛等の異物が落下してラベルに付着したり、製品と一緒に袋内に混入してしまう等の問題があった。そこで、作業者はゴーグルを装着して作業を行っていたが、視野が狭くなることやレンズが曇るといった問題から、最近では顔全体を覆って保護するフェイスガードの使用が一般的となっている。
【発明の開示】
【発明が解決しようとする課題】
【０００３】
しかしながらフェイスガードとは、本来、粉塵や液体等から顔面を保護するものであり、顔面の前面側と左右両面側をシールドで覆い、上下両面側は開放状態となる形態をなしており、また、フェイスガードを装着した際にシールドが体温や呼吸などにより曇ることを防ぐために、顔面から一定の距離を設けて配されるようになっている。このため、広い視野が確保されて作業がし易くなるものの、顔面とフェイスガードとの間に隙間が生じてしまうため、フェイスガードによって顔面を覆うだけで睫毛や眉毛等の異物の落下を確実に防止できているかどうかには懸念が生じていた。
【０００４】
そこで本発明は、上記事情に基づいてなされたものであり、医薬品や食品関係等の工場の包装工程のラインにおいて、作業者の睫毛や眉毛等の異物が落下して製品の中に混入してしまうことを確実に防止することができるフェイスガードを提供することを目的とする。
【課題を解決するための手段】
【０００５】
上記目的を達成するために、本発明のうち請求項１記載の発明は、作業者の鼻と両耳に架け渡して顔面に装着する固定具と、該固定具の外側に取り付けられて顔面を覆うシールドと、該シールドの下端部に保持されてシールドの下端と顔面との相互間に生じる隙間を覆う受け部材と、を備えていることを特徴とする。
【０００６】
ここで、シールドとは、粉塵等から顔面を保護するだけでなく、異物の落下を防止するものである。シールドの材質としては、透明であり且つ長時間装着しても違和感のない軽量なものにすることが望ましく、厚みを薄くしても高強度なＰＥＴ（ポリエチレンテレフタレート）等のプラスチックシートにすることが望ましい。また、シールドは固定具に固定してもよいし、着脱自在に取り付けてもよい。固定具とは、作業者の眼鏡の着用の有無に関わらず、顔面にシールドを確実に固定させることが可能な形態をなしているものであって、例えば眼鏡のレンズを省いたフレームとつるのみの形態であってもよいし、さらにフレームの下側を省いた形態にしてもよい。
【０００７】
また、受け部材については、シールドの下端と顔面との相互間に生じる隙間を覆うことができるものであれば、特に限定するものではなく、板体であってもよいが、請求項２記載の発明のように、クリーン生地にすることが望ましい。ここで、クリーン生地とは、静電気が起きにくい素材であれば特に限定するものではなく、例えばクリーンルームで一般的に使用される帯電防止素材であるＧＫ２１１ＳＢ素材等にすることが望ましい。
【０００８】
さらに、呼吸や体温によってシールドが曇ることを防ぐために、シールドの内側に曇り止め加工を施してもよいが、請求項３記載の発明のように、シールドに通気孔を形成することが望ましい。
【発明の効果】
【０００９】
請求項１記載の発明によれば、フェイスガードを装着した際に、受け部材によってシールドの下端と顔面との相互間に生じる隙間が覆われるため、作業者の睫毛や眉毛等の異物をフェイスガード内で受け止めることが可能となり、その結果、異物がフェイスガードから下方へ落下して製品の中に混入してしまうことを防止することができる。また、固定具の外側にシールドを取り付けることにより、シールドと顔面との間に距離を設けることが可能となり、シールドが曇ることを防止することができる。
【００１０】
請求項２記載の発明によれば、受け部材をクリーン生地にすることにより、帯電防止効果に優れると共に、装着した際に顔面にソフトに接触して装着感が良好になり、さらに柔らかいのでシールドへの取り付けが容易となる。また、シールドに取り付けないクリーン生地の端部を延在させて、その延在部分を作業者の襟元から衣服の中に収容させれば、シールドの下端と顔面との相互間には一切隙間が形成されなくなり、たとえ異物が落下したとしても作業者の衣服内で受け止めることが可能であるため、異物が製品中に混入することを確実に防止することができる。
【００１１】
請求項３記載の発明によれば、シールドの下端と顔面との相互間に生じる隙間を受け部材によって覆うことにより、呼吸がしづらくなることを解消すると共に、呼吸や体温によってシールドの内側にこもる熱や湿気を放出し、装着感を良好にし、さらにシールドが曇ることを防止し、常にクリアな広い視界を確保することができる。
【発明を実施するための最良の形態】
【００１２】
以下、本発明の実施形態を図面に基づいて説明する。
【００１３】
図１は、本発明の第１実施形態を示す斜視図である。図１に示すように、本発明のフェイスガードは、作業者の鼻と両耳に架け渡して顔面に装着する固定具１と、該固定具１の外側に着脱自在に固定されて顔面を覆うシールド２と、該シールド２の下端部に着脱自在に固定されてシールド２の下端と顔面との相互間に生じる隙間を覆うクリーン生地３とから構成されている。
【００１４】
固定具１は、軽量且つ成形し易いポリカーボネートからなり、図１に示すように、眼鏡のフレームと略同じ構成をなしており、枠体１１と、枠体１１の中心部から下方に向かって突出する鼻に係止させる一対の係止片１２と、枠体１１の左右側部に回動可能に取り付けられて耳に係止させるつる１３とから構成されている。また、つる１３の外側の枠体１１付近にはシールド２を着脱自在に固定するためのシールド固定部材１４が備えてある。シールド固定部材１４は、図２及び図５（ａ）（ｂ）に示すように、リング部材１５と、リング部材１５のサイドに設けられて固定具１のつる１３と平行になる挟持片１６と、挟持片１６の先端側の内面の中心部分から固定具１のつる１３に向かって突出する突起部１７とから構成されるものであり、図２に示すように、リング部材１５に固定具１のつる１３を挿し込んで枠体１１付近まで押し込み、突起部１７をつる１３に形成した係止孔１８に嵌め込むことにより、つる１３と挟持片１６との間にシールド２を挟み込んで固定させるものである。シールド固定部材１４は弾力性を保有する材質からなり、突起部１７を係止孔１８内に嵌め込んだ際に弾力によって容易に抜けないようにしてある。
【００１５】
シールド２は、透明で厚みを薄く成形しても高強度を有するポリエチレンテレフタレートシートからなり、図３に示すように、額、頬、口を覆う部分に多数の通気孔２１が形成してある。これにより、シールド２の内側にこもる熱や湿気を放出して装着感を良好にすると共に、呼吸がし易くなり、さらにはシールド２が曇ることを防止することができる。また、シールド２の左右両端部の上方には、シールド固定部材１４の突起部１７を貫通させて固定具１にシールド２を固定させるための固定孔２２が形成してある。さらに、シールド２の下端部には、クリーン生地３を着脱可能に固定するためのドットボタン２３が複数個取り付けてある。
【００１６】
クリーン生地３は、縦長の帯電防止に優れたＧＫ２１１ＳＢ素材からなり、図４に示すように、長手方向の一端側にはシールド２の下端部に固定する固定部３１と、シールドの下端と顔面との相互間に生じる隙間を覆う受け部３２が縫製によって形成されており、他端側は作業者の衣服の中に収容する収容部３３となっている。固定部３１にはシールド２のドットボタン２３に嵌め合わさるドットボタン３４が取り付けてある。
【００１７】
次に、上記のように構成された各部の組み立て方法について説明する。
【００１８】
まず、固定具１にシールド２を固定する。図５（ａ）に示すように、シールド固定部材１４の挟持片１６を外側に湾曲させ、シールド２の片側の固定孔２２を固定具１のつる１３の係止孔１８に重ね合わせる。そして、図５（ｂ）に示すように、シールド固定部材１４の突起部１７を固定孔２２及び係止孔１８内に嵌め込むことで、シールド２が固定具１のつる１３とシールド固定部材１４の挟持片１６との間に挟持される状態で固定される。同様に、シールド２を撓ませて中央部外方（前方）へ湾曲させて、逆側のシールド２の固定孔２２を固定具１のつる１３の係止孔１８に重ね合わせ、各孔１８，２２内にシールド固定部材１４の突起部１７を嵌め込むことで、シールド２が固定具１の外側（前面側）に固定される。これにより、シールド２と顔面との間に距離ができるため、シールド２に形成した通気孔２１の効果と相まって、シールド２が作業者の呼吸や体温によって曇ることを確実に防止することができる。
【００１９】
次に、シールド２の下端部にクリーン生地３を固定する。シールド２の下端部に取り付けたドットボタン２３と、クリーン生地３の固定部３１に取り付けたドットボタン３４とを嵌め合わせることにより、図１に示すように、シールド２の下端部の外面にクリーン生地３の固定部３１が密着状態に固定される。また、クリーン生地３の構成上、シールド２にクリーン生地３を固定することによりクリーン生地３の受け部３２はシールド２の下端に配置され、クリーン生地３の収容部３３は下方に垂れ下がる状態となる。つまり、フェイスガードを装着した際に、クリーン生地３がシールド２の下端と顔面との相互間に生じる隙間を覆う形態になっている。
【００２０】
このように組み立てたフェイスガードを作業者が装着するには、図６に示すように、眼鏡を掛ける際と同様に固定具１のつる１３を耳に、係止片１２を鼻に架け渡して固定する。そうすると、顔面の前方と左右両側がシールド２で覆われ、顔面の下側がクリーン生地３の受け部３２によって覆われた状態になる。そして、クリーン生地３の収容部３３を作業者の襟元から衣服内に収容することにより装着が完了する。このように、フェイスガードを装着した際にシールド２の下端と顔面との相互間に生じる隙間を、クリーン生地３によって完全に覆うことが可能となるため、作業中に作業者の睫毛や眉毛等の異物をクリーン生地３の受け部３２で受け止めることが可能となり、異物がフェイスガードから下方に落下して、製品内に異物が混入することを確実に防止することができる。また、クリーン生地３の端部が作業者の衣服の中に収容されるため、シールド２の下端と顔面との相互間には一切隙間が形成されなくなり、たとえ異物が落下したとしても、作業者の衣服内で受け止めることが可能であるため、異物が製品中に混入することは決してない。さらに、作業者の衣服をウエストでゴム等により絞られているものにすれば、ウエストの位置から下方には異物が落下しないため、より一層好適となる。
【図面の簡単な説明】
【００２１】
【図１】本発明のフェイスガードを示す斜視図である。
【図２】固定具の要部を示す拡大斜視図である。
【図３】シールドを示す正面図である。
【図４】クリーン生地を示す斜視図である。
【図５（ａ）（ｂ）】シールドの固定方法を示す平面図である。
【図６】フェイスガードの装着状態を示す斜視図である。
【符号の説明】
【００２２】
１  固定具
２  シールド
３  クリーン生地（受け部材）
２１  通気孔
【図１】
2006057202.tif 000003
【図２】
2006057202.tif 000004
【図３】
2006057202.tif 000005
【図４】
2006057202.tif 000006
【図５（ａ）（ｂ）】
2006057202.tif 000007
【図６】
2006057202.tif 000008